(57)【要約】【課題】ガタ付き防止機構が部品点数の増大を招くことがなく、ガタ付き防止による耐振動性能の向上を安価に実現することができるコネクタを提供すること。【解決手段】ガタ付き防止機構３６は、一方のコネクタハウジング３３に一体形成された先細り形状の位置調整用突起７１と、他方のコネクタハウジング３４に一体形成された位置調整用穴７３とで構成し、コネクタハウジング３３，３４相互の嵌合接続時には、位置調整用穴７３の内周が先細り形状のテーパ面７１ａ上を摺動することで、コネクタハウジング３３，３４相互に嵌合方向と直交する方向の引張荷重又は圧縮荷重を働かせて、コネクタハウジング３３，３４相互の相対変位を規制する。【選択図】図１
2011014352.tif 000002
【特許請求の範囲】
【請求項１】
嵌合接続される雌雄一対のコネクタハウジングと、嵌合接続された前記一対のコネクタハウジング相互の相対変位を規制するガタ付き防止機構とを備えたコネクタであって、
前記ガタ付き防止機構は、コネクタハウジング相互の嵌合方向に突出した形態に一方のコネクタハウジングに一体形成された先細り形状の位置調整用突起と、コネクタハウジング相互の嵌合接続時に前記位置調整用突起が嵌合するように他方のコネクタハウジングに一体形成された位置調整用穴と、から構成され
コネクタハウジング相互の嵌合接続時には、前記位置調整用穴の内周が前記位置調整用突起の先細り形状を形成しているテーパ面上を摺動することで、コネクタハウジング相互に嵌合方向と直交する方向の引張荷重又は圧縮荷重を作用させて、一対のコネクタハウジング相互の相対変位を規制することを特徴とするコネクタ。
【請求項２】
前記位置調整用突起は先細部が円錐形状で、前記位置調整用穴が円形穴に設定され、
前記位置調整用突起及び位置調整用穴が複数組装備されていることを特徴とする請求項１に記載のコネクタ。
【請求項３】
前記雌雄一対のコネクタハウジングの一方に回動可能にレバーが取り付けられ、
前記レバーは、一方のコネクタハウジングに回動可能に支持される支点部と、他方のコネクタハウジングの係止部に係合する作用点部と、前記支点部回りに回転操作するための力点部とを備えたてこ構造で、該レバーの回動操作によって前記雌雄一対のコネクタハウジングの嵌合がなされることを特徴とする請求項１又は２に記載のコネクタ。
【請求項４】
前記ガタ付き防止機構を構成する位置調整用突起及び位置調整用穴を、接続端子を収容して相手のコネクタハウジングに嵌合する各コネクタハウジングの端子収容部の外周に張り出す対向壁面に配置したことを特徴とする請求項１〜３の何れか１つに記載のコネクタ。
【発明の詳細な説明】
【技術分野】
【０００１】
本発明は、嵌合接続される雌雄一対のコネクタハウジングと、嵌合接続された前記一対のコネクタハウジング相互の相対変位を規制するガタ付き防止機構とを備えたコネクタに関する。
【背景技術】
【０００２】
車両の電気配線に使用されるコネクタは、走行中の車両の振動等が作用するため、嵌合接続される雌雄一対のコネクタハウジング間にガタ付きがあると、異音の発生や耐振動性能の低下といった不都合を招く。
【０００３】
そこで、従来より、車両搭載用のコネクタでは、嵌合接続された雌雄一対のコネクタハウジング相互の相対変位を規制するガタ付き防止機構を装備することが行われている（下記特許文献１，２参照）。
【０００４】
図７〜図９は、特許文献１に開示されたコネクタである。
このコネクタ１は、雄型の接続端子２を収容保持した雌型コネクタハウジング４と、雌型の接続端子６（図９参照）を収容保持した雄型コネクタハウジング８とを嵌合接続した時、両コネクタハウジング４，８の嵌合部に介在するガタ付き防止機構１１によってコネクタハウジング相互の相対変位を規制して、コネクタハウジング相互間のガタつきを無くす。
【０００５】
雄型コネクタハウジング８は、雌側の接続端子６を収容保持したインナハウジング１３が、雄型の接続端子２の周囲を囲っている雌型コネクタハウジング４のフード部１５内に嵌合して、雌型コネクタハウジング４に連結される。
【０００６】
ガタ付き防止機構１１は、フード部１５の内周面に形成した傾斜面２１に、インナハウジング１３の先端の傾斜面１３ａや、インナハウジング１３の先端に嵌合装着されたフロントホルダ１７の先端の傾斜面１７ａを所定の押圧力で当接させることで、一対のコネクタハウジング４，８相互の相対変位を規制する。
【０００７】
雄型コネクタハウジング８は、傾斜面２１に対する各傾斜面１３ａ，１７ａの押圧力を調整可能にするため、図８に示すように、インナハウジング１３をアウタハウジング１９と別体の構成にしている。さらに、インナハウジング１３は、コネクタハウジング相互の嵌合方向に付勢する一対の圧縮コイルばね２２，２２を介して、アウタハウジング１９に装着するようにしている。
【０００８】
また、雄型コネクタハウジング８は、フード部１５とインナハウジング１３との嵌合部を防水するために、インナハウジング１３の外周に環状のパッキン２３が装着される。パッキン２３は、図９に示すように、インナハウジング１３の外周に突設されたパッキン止め１３ｂとフロントホルダ１７の端部との間に挟まれて、インナハウジング１３上に位置決めされている。
【０００９】
また、雄型コネクタハウジング８には、回動可能にレバー２５が取り付けられている。このレバー２５は、図８及び図１０に示すように、アウタハウジング１９の両側に突設された支点軸１９ａに回動可能に支持される支点部２５ａと、雌型コネクタハウジング４のフード部１５の両側に突設された係止部１５ａに係合する溝状の作用点部２５ｂと、当該レバー２５を支点部２５ａ回りに回転操作するための力点部２５ｃとを備えたてこ構造で、図１０に矢印Ａ，Ｂで示すように該レバー２５の回動操作によって、雌雄一対のコネクタハウジングの嵌合及び嵌合解除がなされる。
【先行技術文献】
【特許文献】
【００１０】
【特許文献１】特開２００６−３３１９９６号公報
【特許文献２】特開２００６−３３９００３号公報
【発明の概要】
【発明が解決しようとする課題】
【００１１】
ところが、上記のガタ付き防止機構１１を採用したコネクタ１では、図８にも示したように、雄型コネクタハウジング８が、フロントホルダ１７、パッキン２３、インナハウジング１３、一対の圧縮コイルばね２２，２２、レバー２５、アウタハウジング１９の７点の部品の組立体となり、構成部品が多く、組立に手間がかかるために、製造コストが増大するという問題が生じていた。
【００１２】
そこで、本発明の目的は上記課題を解消することに係り、ガタ付き防止機構が部品点数の増大を招くことがなく、ガタ付き防止による耐振動性能の向上を安価に実現することができるコネクタを提供することにある。
【課題を解決するための手段】
【００１３】
本発明の前述した目的は、下記の構成により達成される。
（１）嵌合接続される雌雄一対のコネクタハウジングと、嵌合接続された前記一対のコネクタハウジング相互の相対変位を規制するガタ付き防止機構とを備えたコネクタであって、
前記ガタ付き防止機構は、コネクタハウジング相互の嵌合方向に突出した形態に一方のコネクタハウジングに一体形成された先細り形状の位置調整用突起と、コネクタハウジング相互の嵌合接続時に前記位置調整用突起が嵌合するように他方のコネクタハウジングに一体形成された位置調整用穴と、から構成され
コネクタハウジング相互の嵌合接続時には、前記位置調整用穴の内周が前記位置調整用突起の先細り形状を形成しているテーパ面上を摺動することで、コネクタハウジング相互に嵌合方向と直交する方向の引張荷重又は圧縮荷重を作用させて、一対のコネクタハウジング相互の相対変位を規制することを特徴とするコネクタ。
【００１４】
（２）前記位置調整用突起は先細部が円錐形状で、前記位置調整用穴が円形穴に設定され、
前記位置調整用突起及び位置調整用穴が複数組装備されていることを特徴とする上記（１）に記載のコネクタ。
【００１５】
（３）前記雌雄一対のコネクタハウジングの一方に回動可能にレバーが取り付けられ、
前記レバーは、一方のコネクタハウジングに回動可能に支持される支点部と、他方のコネクタハウジングの係止部に係合する作用点部と、前記支点部回りに回転操作するための力点部とを備えたてこ構造で、該レバーの回動操作によって前記雌雄一対のコネクタハウジングの嵌合がなされることを特徴とする上記（１）又は（２）に記載のコネクタ。
【００１６】
（４）前記ガタ付き防止機構を構成する位置調整用突起及び位置調整用穴を、接続端子を収容して相手のコネクタハウジングに嵌合する各コネクタハウジングの端子収容部の外周に張り出す対向壁面に配置したことを特徴とする上記（１）〜（３）の何れか１つに記載のコネクタ。
【００１７】
上記（１）の構成によれば、コネクタに装備するガタ付き防止機構は、一方のコネクタハウジングに一体の位置調整用突起と、他方のコネクタハウジングに一体の位置調整用穴とから構成されており、ガタ付き防止用として、各コネクタハウジングとは別体の部品を用いていない。
【００１８】
そのため、ガタ付き防止機構が部品点数の増大を招くことがなく、組み立て工程数の増加も防止することができ、ガタ付き防止による耐振動性能の向上を安価に実現することができる。
【００１９】
上記（２）の構成によれば、位置調整用突起及び位置調整用穴を複数組装備したことで、ガタ付き防止機構により各コネクタハウジングに作用する引張荷重又は圧縮荷重を、複数箇所から均等に作用させることができ、荷重が一カ所に集中作用することによってコネクタハウジング相互間に傾きが生じるような不都合の発生を防止することができ、コネクタハウジング相互の接続安定性を向上させることができる。
【００２０】
上記（３）の構成によれば、ガタ付き防止機構を装備したことで、コネクタハウジング相互の嵌合接続に必要とされる操作力が増大するが、レバーが操作力を補助するため、小さな操作力でコネクタハウジング相互を嵌合させることができ、コネクタハウジングの取り扱い性を向上させることができる。
【００２１】
上記（４）の構成によれば、ガタ付き防止機構は、各コネクタハウジングの端子収容部の外周に位置しているため、収容する接続端子の係止構造等で比較的に構造が繁雑化し易い前記端子収容部の内部構造に影響しない。
【００２２】
即ち、ガタ付き防止機構の装備が、各コネクタハウジングにおける端子収容部の構造を更に複雑化することがなく、各コネクタハウジングの構造の複雑化による成形性の低下を防止することができる。
【発明の効果】
【００２３】
本発明によるコネクタによれば、コネクタに装備するガタ付き防止機構は、一方のコネクタハウジングに一体の位置調整用突起と、他方のコネクタハウジングに一体の位置調整用穴とから構成されており、ガタ付き防止用として、各コネクタハウジングとは別体の部品を用いていない。
【００２４】
そのため、ガタ付き防止機構が部品点数の増大を招くことがなく、組み立て工程数の増加も防止することができ、ガタ付き防止による耐振動性能の向上を安価に実現することができる。
【図面の簡単な説明】
【００２５】
【図１】本発明に係るコネクタの一実施形態における各コネクタハウジングの斜視図である。
【図２】図１に示したコネクタの嵌合接続が完了した状態の斜視図である。
【図３】（ａ）は図１に示した雄型コネクタハウジングの正面図（図１のＣ矢視図）で、（ｂ）は（ａ）の矢印Ｄ方向から見た位置調整用突起の側面図である。
【図４】図１に示した雌型コネクタハウジングの正面図（図１のＥ矢視図）
【図５】図４に示した雌型コネクタハウジングの部品構成を示す分解斜視図である。
【図６】（ａ）は図２のＦ矢視図、（ｂ）は（ａ）のＧ−Ｇ断面図である。
【図７】ガタ付き防止機構を備えた従来のコネクタを構成する雌型コネクタハウジングと雄型コネクタハウジングの斜視図である。
【図８】図７に示した雄型コネクタハウジングの部品構成を示す分解斜視図である。
【図９】図７に示した雌雄一対のコネクタハウジングの嵌合接続状態の縦断面図である。
【図１０】図７に示した雌雄一対のコネクタハウジング相互を嵌合接続するために雄型コネクタハウジングに取り付けられているレバーの動作説明図である。
【発明を実施するための形態】
【００２６】
以下、本発明に係るコネクタの好適な実施形態について、図面を参照して詳細に説明する。
【００２７】
図１及び図２は、本発明に係るコネクタ３１の一実施形態を示したものである。
この一実施形態のコネクタ３１は、嵌合接続される雌雄一対のコネクタハウジング３３，３４と、嵌合接続された一対のコネクタハウジング３３，３４相互の相対変位を規制するガタ付き防止機構３６とを備えている。
【００２８】
雄型コネクタハウジング３３は、図３にも示すように、複数個の雄型の接続端子４１の周囲を囲う筒状のフード部である端子収容部４２が、平坦な基台４３上に、垂直に立設された構造になっている。
【００２９】
雌型コネクタハウジング３４は、図４及び図５に示すように、一体構造のハウジング本体５１と、ハウジング本体５１内に装着される防水用のパッキン５３と、ハウジング本体５１の外周囲に回動可能に装着されるレバー５５と、の３つの部品から構成されている。
【００３０】
ハウジング本体５１は、雄型の接続端子４１が嵌合する雌型の接続端子６１を収容保持して端子収容部４２内に嵌合する端子収容部６２と、端子収容部４２の外周に被さるアウタハウジング６４とを一体形成した構造である。
【００３１】
パッキン５３は、ハウジング本体５１の端子収容部６２の外周に嵌合する環状で、端子収容部６２と端子収容部４２との間に挟まれて、両者間に防水性を確保する。
【００３２】
レバー５５は、図１及び図５に示すように、ハウジング本体５１のアウタハウジング６４の両側に突設された支点軸６４ａに回動可能に支持される支点部５５ａと、雄型コネクタハウジング３３の端子収容部４２の両側に突設された係止部４２ａに係合する溝状の作用点部５５ｂと、当該レバー５５を支点部５５ａ回りに回転操作するための力点部５５ｃとを備えたてこ構造で、図１の矢印Ｘ方向への回動操作によりコネクタハウジング相互を嵌合接続させることができ、図１の矢印Ｙ方向への回動操作によりコネクタハウジング相互の嵌合を解除させることができる。
【００３３】
図２に示したレバー５５は、コネクタハウジング３３，３４相互の嵌合接続が完了したロック状態を示している。
【００３４】
本実施形態の場合、ガタ付き防止機構３６は、コネクタハウジング３３，３４相互の嵌合方向（図１では、矢印Ｈ方向）に突出した形態に雄型コネクタハウジング３３に一体形成された先細り形状の位置調整用突起７１と、コネクタハウジング３３，３４相互の嵌合接続時に位置調整用突起７１が嵌合するように雌型コネクタハウジング３４に一体形成された位置調整用穴７３と、から構成されている。
【００３５】
本実施形態のガタ付き防止機構３６は、コネクタハウジング３３，３４相互の嵌合接続時には、図６（ｂ）に示すように、位置調整用穴７３の内周が位置調整用突起７１の先細り形状を形成しているテーパ面７１ａ上を摺動することで、コネクタハウジング３３，３４相互に嵌合方向と直交する方向（図６（ｂ）の矢印Ｉ方向）の引張荷重又は圧縮荷重を作用させて、一対のコネクタハウジング３３，３４相互の相対変位を規制する。なお、位置調整用穴７３の内周が位置調整用突起７１の先細り形状を形成しているテーパ面７１ａ上を摺動する際、図６（ｂ）において、位置調整用穴７３の天面にテーパ面７１ａの上面との摺接で圧縮荷重が作用した場合は、半径方向逆方向にある位置調整用穴７３の底面には引張荷重が作用する。
【００３６】
本実施形態の場合、図１に示すように、ガタ付き防止機構３６を構成する位置調整用突起７１は、雄型の接続端子４１を収容した端子収容部４２の外周に張り出す基台４３の対向壁面４３ａに配置されている。また、ガタ付き防止機構３６を構成する位置調整用穴７３は、雌型の接続端子６１を収容した端子収容部６２の外周に張り出すアウタハウジング６４上の対向壁面６４ａに配置されている。
【００３７】
即ち、本実施形態の場合、ガタ付き防止機構３６を構成する位置調整用突起７１や位置調整用穴７３は、接続端子を収容して相手のコネクタハウジングに嵌合する各コネクタハウジングの端子収容部４２，６２の外周に張り出す対向壁面４３ａ，６４ａに配置されている。
【００３８】
また、本実施形態の場合、位置調整用突起７１は先細部が円錐形状であり、位置調整用穴７３が円形穴に設定されている。
【００３９】
また、位置調整用突起７１及び位置調整用穴７３、対応する各対向壁面４３ａ，６４ａに、複数組装備されている。
【００４０】
以上に説明した一実施形態のコネクタ３１では、装備されるガタ付き防止機構３６は、雄型コネクタハウジング３３に一体の位置調整用突起７１と、雌型コネクタハウジング３４に一体の位置調整用穴７３とから構成されており、ガタ付き防止用として、各コネクタハウジングとは別体の部品を用いていない。
【００４１】
そのため、ガタ付き防止機構３６が部品点数の増大を招くことがなく、組み立て工程数の増加も防止することができ、ガタ付き防止による耐振動性能の向上を安価に実現することができる。
【００４２】
また、上記コネクタ３１では、位置調整用突起７１及び位置調整用穴７３を複数組装備したことで、ガタ付き防止機構３６により各コネクタハウジングに作用する引張荷重又は圧縮荷重を、複数箇所から均等に作用させることができ、荷重が一カ所に集中作用することによってコネクタハウジング３３，３４相互間に傾きが生じるような不都合の発生を防止することができ、コネクタハウジング３３，３４相互の接続安定性を向上させることができる。
【００４３】
また、上記コネクタ３１では、ガタ付き防止機構３６を装備したことで、コネクタハウジング３３，３４相互の嵌合接続に必要とされる操作力が増大する。しかし、上記コネクタ３１では、嵌合操作力を補助するレバー５５を装備しているため、小さな操作力でコネクタハウジング３３，３４相互を嵌合させることができ、コネクタハウジングの取り扱い性を向上させることができる。
【００４４】
また、上記コネクタ３１では、ガタ付き防止機構３６は、各コネクタハウジング３３，３４の端子収容部４２，６２の外周に位置しているため、収容する接続端子の係止構造等で比較的に構造が繁雑化し易い端子収容部４２，６２の内部構造に影響しない。
【００４５】
即ち、ガタ付き防止機構３６の装備が、各コネクタハウジング３３，３４における端子収容部４２，６２の構造を更に複雑化することがなく、各コネクタハウジング３３，３４の構造の複雑化による成形性の低下を防止することができる。
【００４６】
なお、上記実施形態では、位置調整用突起７１を雄型コネクタハウジング３３に、位置調整用穴７３を雌型コネクタハウジング３４に装備したが、位置調整用突起７１を雌型コネクタハウジング３４に装備し、位置調整用穴７３を雄型コネクタハウジング３３に装備するようにしても良い。
【００４７】
更に、上記コネクタ３１は、コネクタハウジング３３，３４の嵌合操作に使うてこ構造のレバー５５を装備したレバー式コネクタであったが、本発明に係るガタ付き防止機構は、てこ構造のレバーを装備せずに一方のコネクタハウジングに一体形成したロックアームと他方のコネクタハウジングの係止部との係合によってコネクタハウジング相互の接続をロックする構造のコネクタにも適用可能である。
【符号の説明】
【００４８】
３１  コネクタ
３３  雄型コネクタハウジング
３４  雌型コネクタハウジング
３６  ガタ付き防止機構
４１  雄型の接続端子
４２  端子収容部
４２ａ  係止部
４３  基台
５１  ハウジング本体
５３  パッキン
５５  レバー
５５ａ  支点部
５５ｂ  作用点部
５５ｃ  力点部
６２  端子収容部
６４  アウタハウジング
７１  位置調整用突起
７１ａ  テーパ面
【図１】
2011014352.tif 000003
【図２】
2011014352.tif 000004
【図３】
2011014352.tif 000005
【図４】
2011014352.tif 000006
【図５】
2011014352.tif 000007
【図６】
2011014352.tif 000008
【図７】
2011014352.tif 000009
【図８】
2011014352.tif 000010
【図９】
2011014352.tif 000011
【図１０】
2011014352.tif 000012